(57)【特許請求の範囲】
【請求項１】
開閉扉体の開閉側が基枠体に対して開け閉めできるように該開閉側とは反対側のサンド設置側に配設されたヒンジ構造により、該基枠体に対して該開閉扉体を開閉側開閉可能に連結するパチンコ遊技機であって、
前記ヒンジ構造は、前記基枠体に配設されるスライドガイド溝および回転ガイド溝と、前記開閉扉体に配設されるスライドガイド軸および回転ガイド軸とを具備しており、
前記スライドガイド溝は、前記サンド設置側から前記開閉側に向かう方向に沿って延びる溝形状を有し、
前記スライドガイド軸は、前記スライドガイド溝に回転可能且つスライド可能に挿し込まれる軸形状を有し、
前記回転ガイド溝は、前記スライドガイド溝の延在方向と交差する方向に沿って延びる溝形状を有し、
前記回転ガイド軸は、前記回転ガイド溝に回転可能且つスライド可能に挿し込まれる軸形状を有し、
前記基枠体に対する前記開閉扉体の開け閉めは、前記スライドガイド軸の該スライドガイド溝内における回転およびスライドにより行われるようになっており、
前記スライドガイド溝内の前記スライドガイド軸の回転およびスライドは、前記回転ガイド軸の該回転ガイド溝内における回転およびスライドによりガイドされるようになっており、
前記スライドガイド軸および前記回転ガイド軸は、対応関係にある前記スライドガイド溝および前記回転ガイド溝に対して挿し抜き可能に構成されており、
前記開閉扉体は、前記スライドガイド軸および前記回転ガイド軸を対応関係にある前記スライドガイド溝および前記回転ガイド溝に挿し込むことにより前記基枠体に取り付けられた状態になり、該スライドガイド軸および該回転ガイド軸を対応関係にある該スライドガイド溝および該回転ガイド溝から抜き出すことにより前記基枠体から取り外された状態となるように構成されており、
固定設置される外枠と該外枠の前側に配置される前枠本体とは、前記ヒンジ構造をなす外枠ヒンジを介して前記基枠体と前記開閉扉体との関係をなしており、
前記前枠本体と該前枠本体の前側に配置されるガラス枠とは、前記ヒンジ構造をなす前枠本体ヒンジを介して前記基枠体と前記開閉扉体との関係をなしている、ことを特徴とするパチンコ遊技機。
【請求項２】
請求項１に記載のパチンコ遊技機において、
前記ガラス枠には、対応関係にある前記スライドガイド溝および前記回転ガイド溝に対して前記スライドガイド軸および前記回転ガイド軸の挿し抜きに関しての操作を行う操作機構が設けられており、
前記操作機構は、
前記開閉扉体に対して回動可能に支持され且つ回動させることにより前記スライドガイド溝および前記回転ガイド溝から前記スライドガイド軸および前記回転ガイド軸を抜き出すように作用する操作レバーと、
前記操作レバーの回動支点部分に配設され且つ弾性復元力により前記操作レバーを初期位置に戻すように付勢して前記スライドガイド溝および前記回転ガイド溝に前記スライドガイド軸および前記回転ガイド軸を挿し込むように作用する圧縮ばねと、を備えていることを特徴とするパチンコ遊技機。
【請求項３】
請求項１または請求項２に記載のパチンコ遊技機において、
前記外枠ヒンジと前記前枠本体ヒンジとは、上下で並べて配置されており、
前記前枠本体および前記ガラス枠が全閉状態となっている場合では、前記前枠本体および前記ガラス枠の前記スライドガイド溝同士は平行に配置されていると共に、前記前枠本体および前記ガラス枠の前記回転ガイド溝同士も平行に配置されている、ことを特徴とするパチンコ遊技機。
【請求項４】
請求項３に記載のパチンコ遊技機において、
全閉状態にて前記スライドガイド溝同士が延びる方向は、遊技機前面の面方向に一致する左右方向に設定されており、
全閉状態にて前記回転ガイド溝同士が延びる方向は、遊技機前面の面方向と直交交差する前後方向に設定されている、ことを特徴とするパチンコ遊技機。
【発明の詳細な説明】
【技術分野】
【０００１】
本発明は、パチンコ遊技機やパチスロ遊技機等の遊技機において利用される開閉扉構造に関するものであり、例えば固定設置される基枠体に対して開閉扉体を片側開閉可能に連結するために利用される遊技機の開閉扉構造に関する。
【背景技術】
【０００２】
パチンコ遊技機やパチスロ遊技機等の遊技機にあっては、概略、外装を兼ねる枠体と、この枠体に内装される遊技盤やリール装置等の遊技機本体とにより構成される。ところで、この枠体は、例えば、区画された島に対して固定設置される基枠体と、この基枠体に対して片側開閉可能に連結される開閉扉体とを備える。この開閉扉体は、遊技者側となる遊技機の前面側の外装を兼ねて構成されている。この開閉扉体は、片側となる一側が基枠体に対して開閉することができるように、この一側とは反対側の他側が適宜に配設されるヒンジ構造により基枠体に対して連結されている（例えば、下記特許文献１参照）。
なお、ここでいう基枠体と開閉扉体とは、互いに相対の関係であることを意味するものであり、パチンコ遊技機で言えば、例えば外枠（基枠体）に対する前枠（開閉扉体）となる相対の関係であったり、また前枠（基枠体）に対するガラス枠（開閉扉体）となる相対の関係であったりする。また、このような開閉扉体は、一般に遊技機の前面側の外装をなすように形成される。
【先行技術文献】
【特許文献】
【０００３】
【特許文献１】特開２００４−６５４６５号公報
【発明の概要】
【発明が解決しようとする課題】
【０００４】
一方、昨今の遊技機は、遊技機前面側の外装を前面側（遊技者側）に張り出させたデザインのものが普及しつつある。このため、遊技機前面側の外装をなす開閉扉体の前面側は、従前よりも張り出した形状にて形成される傾向にある。
他方、上記したように区画された島に対して固定設置される遊技機同士の間には、一般にサンドと総称される玉替え機やコイン替え機等の装置が設置されている。このため、上記したように遊技機前面側の外装をなす開閉扉体の前面側を単に張り出させた形状とすると、開閉扉体を全開にて開けた際に、張り出した開閉扉体の前面側をサンドに当ててしまう。そうすると、この開閉扉体を全開で開けることができなくなってしまって、枠体に内装される遊技機本体の手入れのしづらいものとなってしまう。このため、上記したように遊技機前面側の外装をなす開閉扉体の前面側は、ヒンジ構造により基枠体に連結される側（一般に左側）について、前面側への張出しを控えた形状とする傾向にある。
【０００５】
しかしながら、上記したようにヒンジ構造により基枠体に連結される側（一般に左側）について、前面側への張出しを控えた構成とすると、前面側への全体的な張出しをボリューム感の落とした構成とするか、左右の張出し量をアンバランス構成とするかの、いずれかの構成としなくてはならない。そうすると、遊技機の外観意匠として興趣に欠けるものとなってしまう。このため、外観意匠としての興趣を向上させるように、ヒンジ構造により基枠体に連結される側についての前面側の張出しを、ボリューム感を持たせたままで形成されるようにしておきたい。
【０００６】
本発明は、このような事情に鑑みなされたものであって、本発明が解決しようとする課題は、パチンコ遊技機やパチスロ遊技機等の遊技機に用いられる遊技機の開閉扉構造において、外観意匠としての興趣を向上させるように開閉扉体の前面側の張出し形状を形成することができるようにしつつ、遊技機に隣接して設置されるサンドに開閉扉体の前面側を当ててしまうことなく該開閉扉体を全開で開けることができるようにすることにある。
【課題を解決するための手段】
【０００７】
上記した課題を解決するにあたって本発明に係る遊技機の開閉扉構造は、次の手段を採用する。
すなわち、本発明の第１の発明に係る遊技機の開閉扉構造は、前記開閉扉体の一側が前記基枠体に対して開け閉めできるように該一側とは反対側の他側に配設されたヒンジ構造により、該基枠体に対して該開閉扉体を一側開閉可能に連結する遊技機の開閉扉構造であって、前記ヒンジ構造は、前記基枠体に配設されるスライドガイド溝および回転ガイド溝と、前記開閉扉体に配設されるスライドガイド軸および回転ガイド軸とを具備しており、前記スライドガイド溝は、前記他側から前記一側に向かう方向に沿って延びる溝形状を有し、前記スライドガイド軸は、前記スライドガイド溝に回転可能且つスライド可能に挿し込まれる軸形状を有し、前記回転ガイド溝は、前記スライドガイド溝の延在方向と交差する方向に沿って延びる溝形状を有し、前記回転ガイド軸は、前記回転ガイド溝に回転可能且つスライド可能に挿し込まれる軸形状を有し、前記基枠体に対する前記開閉扉体の開け閉めは、前記スライドガイド軸の該スライドガイド溝内における回転およびスライドにより行われるようになっており、前記スライドガイド溝内の前記スライドガイド軸の回転およびスライドは、前記回転ガイド軸の該回転ガイド溝内における回転およびスライドによりガイドされるようになっている、ことを特徴とする。
【０００８】
この第１の発明に係る遊技機の開閉扉構造によれば、基枠体に対する開閉扉体の開け閉めは、スライドガイド軸のスライドガイド溝内における回転およびスライドにより行われるようになっている。これによって、開閉扉体の回転軸を基枠体に対してスライドさせながら基枠体に対して開閉扉体を開けることができる。ここで、スライドガイド溝内のスライドガイド軸の回転およびスライドは、回転ガイド軸の回転ガイド溝内における回転およびスライドによりガイドされる。これによって、開閉扉体を開けたり閉めたりするにあたっての開閉扉体の回転およびスライドを安定した回転およびスライドとすることができる。したがって、開閉扉体の前面側に張り出した形状を形成した場合であっても、遊技機に隣接して設置されるサンドから開閉扉体を逃げるようにスライドさせながら回転させて開けることができ、サンドに開閉扉体の前面側を当ててしまうことなく該開閉扉体を全開で開けることができる。もって、外観意匠としての興趣を向上させるように開閉扉体の前面側の張出し形状を形成することができるようにしつつ、遊技機に隣接して設置されるサンドに開閉扉体の前面側を当ててしまうことなく該開閉扉体を全開で開けることができるようになる。なお、この第１の発明に係る遊技機の開閉扉構造によれば、開閉扉体をガイドする開閉ガイドリンクについては不要となるので、全体としての部材点数の削減も図れることができる。
【０００９】
第２の発明に係る遊技機の開閉扉構造は、前記第１の発明に係る遊技機の開閉扉構造において、前記回転ガイド溝は、前記スライドガイド溝の延在方向に対して直交する方向に沿って延びる溝形状を有して形成されていることを特徴とする。
この第２の発明に係る遊技機の開閉扉構造によれば、回転ガイド溝は、スライドガイド溝の延在方向に対して直交する方向に沿って延びる溝形状を有して形成されているので、この回転ガイド溝内の内側壁面は、スライドガイド溝の延在方向に対して直交する方向に沿って延びるように形成される。つまり、回転ガイド溝内の内側壁面は、スライドガイド軸のスライド方向に対して直交する方向に延在する。これによって、スライドガイド軸のスライドに追従してスライドしようとする該スライド方向の回転ガイド軸のスライドを、回転ガイド溝内の内側壁面に回転ガイド軸を当てることにより確実に規制することができる。したがって、回転ガイド軸を支点にした回転方向にてスライドガイド軸を回転作用させることができて、該スライドガイド軸の回転をスムーズにガイドすることができる。もって、開閉扉体を開けたり閉めたりするにあたっての開閉扉体の回転およびスライドを、より安定した回転およびスライドとすることができる。
【００１０】
第３の発明に係る遊技機の開閉扉構造は、前記第１または前記第２の発明に係る遊技機の開閉扉構造において、前記スライドガイド軸および前記回転ガイド軸は、対応関係にある前記スライドガイド溝および前記回転ガイド溝に対して挿し抜き可能に構成されており、前記開閉扉体は、前記スライドガイド軸および前記回転ガイド軸を対応関係にある前記スライドガイド溝および前記回転ガイド溝に挿し込むことにより前記基枠体に取り付けられた状態になり、該スライドガイド軸および該回転ガイド軸を対応関係にある該スライドガイド溝および該回転ガイド溝から抜き出すことにより前記基枠体から取り外された状態となる、ことを特徴とする。
この第３の発明に係る遊技機の開閉扉構造によれば、スライドガイド軸および回転ガイド軸は、対応関係にあるスライドガイド溝および回転ガイド溝に対して挿し抜き可能に構成されている。ここで、スライドガイド軸および回転ガイド軸をスライドガイド溝および回転ガイド溝に挿し込んだ状態では、開閉扉体を基枠体に取り付けた状態とすることができる。これに対し、スライドガイド軸および回転ガイド軸をスライドガイド溝および回転ガイド溝から抜き出した状態では、開閉扉体を基枠体から取り外した状態とすることができる。これによって、開閉扉体の基枠体に対する取付け及び取外しを簡単に行うことができる。
【００１１】
第４の発明に係る遊技機の開閉扉構造は、前記第３の発明に係る遊技機の開閉扉構造において、前記開閉扉体には、対応関係にある前記スライドガイド溝および前記回転ガイド溝に対して前記スライドガイド軸および前記回転ガイド軸の挿し抜きに関しての操作を行う操作機構が設けられており、前記操作機構は、前記開閉扉体に対して回動可能に支持され且つ回動させることにより前記スライドガイド溝および前記回転ガイド溝から前記スライドガイド軸および前記回転ガイド軸を抜き出すように作用する操作レバーと、前記操作レバーの回動支点部分に配設され且つ弾性復元力により前記操作レバーを初期位置に戻すように付勢して前記スライドガイド溝および前記回転ガイド溝に前記スライドガイド軸および前記回転ガイド軸を挿し込むように作用する圧縮ばねと、を備えていることを特徴とする。
この第４の発明に係る遊技機の開閉扉構造によれば、操作レバーを回動させることにより、スライドガイド溝および回転ガイド溝からスライドガイド軸および回転ガイド軸を抜き出すことができる。これによって、上記した開閉扉体の基枠体に対する取外しを簡単に行うことができる。これに対して圧縮ばねは、自身の弾性復元力により操作レバーを初期位置に戻すように付勢する。つまり、圧縮ばねは、スライドガイド軸および回転ガイド軸をスライドガイド溝および回転ガイド溝に自動的に挿し込むように作用する。これによって、上記した開閉扉体の基枠体に対する取付けを簡単に行うことができる。
ここで圧縮ばねは、操作レバーの回動支点部分に配設されているので、付勢するための部材配設範囲の嵩張りを削減することができ、部材構成の小型化を図ることができる。
【発明の効果】
【００１２】
第１の発明に係る遊技機の開閉扉構造によれば、外観意匠としての興趣を向上させるように開閉扉体の前面側の張出し形状を形成することができるようにしつつ、遊技機に隣接して設置されるサンドに開閉扉体の前面側を当ててしまうことなく該開閉扉体を全開で開けることができるようになる。
第２の発明に係る遊技機の開閉扉構造によれば、開閉扉体を開けたり閉めたりするにあたっての開閉扉体の回転およびスライドを、より安定した回転およびスライドとすることができる。
第３の発明に係る遊技機の開閉扉構造によれば、開閉扉体の基枠体に対する取付け及び取外しを簡単に行うことができる。
第４の発明に係る遊技機の開閉扉構造によれば、付勢するための部材配設範囲の嵩張りを削減することができ、部材構成の小型化を図ることができる。
【図面の簡単な説明】
【００１３】
【図１】パチンコ遊技機および玉出しサンドを示す斜視図である。
【図２】図１のパチンコ遊技機および玉出しサンドを示す正面図である。
【図３】パチンコ遊技機の枠体を示す分解斜視図である。
【図４】外枠に対して前枠を全開に開けたパチンコ遊技機を示す斜視図である。
【図５】前枠に対してガラス枠を全開に開けたパチンコ遊技機を示す斜視図である。
【図６】パチンコ遊技機の上側にて配設されるヒンジ構造を示す分解斜視図である。
【図７】パチンコ遊技機の下側にて配設されるヒンジ構造を示す分解斜視図である。
【図８】外枠に配設される外枠ヒンジを示す外観斜視図である。
【図９】外枠に配設される外枠ヒンジを示す分解斜視図である。
【図１０】前枠に配設される前枠本体ヒンジを示す斜視図および断面図である。
【図１１】ガラス枠に配設されるガラス枠ヒンジを示す外観斜視図である。
【図１２】ガラス枠に配設されるガラス枠ヒンジを示す分解斜視図である。
【図１３】全閉状態、開途中状態、全開状態の外枠ヒンジを示す斜視図である。
【図１４】全閉状態の外枠ヒンジを示す上面図および下面図である。
【図１５】開途中状態の外枠ヒンジを示す上面図および下面図である。
【図１６】全開状態の外枠ヒンジを示す上面図および下面図である。
【図１７】係止状態のガラス枠ヒンジを示す斜視図および側面図である。
【図１８】係止解除状態のガラス枠ヒンジを示す斜視図および側面図である。
【発明を実施するための形態】
【００１４】
以下、本発明を実施するための実施の形態について、図面を参照しながら説明する。
図１は、パチンコ遊技機１０および玉出しサンド９０を示す斜視図である。図２は、図１のパチンコ遊技機１０および玉出しサンド９０を示す正面図である。図３は、パチンコ遊技機１０の枠体１１を分解して示す分解斜視図である。図４は、外枠１５に対して前枠本体２３を全開に開けたパチンコ遊技機１０を示す斜視図である。図５は、前枠本体２３に対してガラス枠２５を全開に開けたパチンコ遊技機１０を示す斜視図である。なお、図示にて規定されているように、遊技者側が前面側として規定されている。また、これに準じて、背面側、左側、右側、上側、下側が規定されている。なお、図１〜図５に示すパチンコ遊技機１０にあっては、上皿、下皿、遊技球を発射するための発射装置等についての図示を省略している。
図１〜図５に示すパチンコ遊技機１０は、本発明に係る遊技機に相当する。このパチンコ遊技機１０は、図１および図２に示すように、区画された島に対して多数並べられて固定設置される。また、このようなパチンコ遊技機１０の左側隣接位置には、玉出しサンド９０が設置されている。なお、この玉出しサンド９０は、図１および図２に示すように、パチンコ遊技機１０の左側面に接するまで近づく近接位置に設定されている。
【００１５】
パチンコ遊技機１０は、図３〜図５に示すように、概略、外装を兼ねる枠体１１と、この枠体１１に内装される遊技機本体１２とにより構成される。なお、遊技機本体１２は、パチンコ遊技機１０として機能するための構成部材に相当するものである。具体的には、遊技機本体１２としては、図３にも示すように、遊技盤１２１、制御装置を含む各種の装置品１２２、図示省略の発射装置等を含んで構成される。
枠体１１は、図３〜図５に示すように、区画された島に対して固定設置される外枠１５と、外枠１５に対して片側開閉可能に連結される前枠２０とを備える。また前枠２０は、前枠本体２３と、前枠本体２３に対して片側開閉可能に連結されるガラス枠２５とを備える。つまり、ガラス枠２５は、前枠２０の前面を構成する。
ここで、図４に示すような外枠１５に対する前枠本体２３となる相対の関係は、本発明に係る基枠体に対する開閉扉体となる相対の関係に相当する。また、図５に示すような前枠本体２３に対するガラス枠２５となる相対の関係は、本発明に係る基枠体に対する開閉扉体となる相対の関係に相当する。なお、この前枠２０には、上記したようにパチンコ遊技機１０として機能するための遊技機本体１２（遊技盤、遊技球発射装置、制御装置を含む各種の電装品等）が設けられている。
ところでガラス枠２５を含む前枠２０は、遊技者側となる遊技機の前面側の外装を兼ねて構成されている。このガラス枠２５を含む前枠２０は、右側部分が外枠１５に対して開閉することができるように、左側部分が外枠１５に対して連結されている。この連結は、次に説明するヒンジ構造２７によるものとなっている。
【００１６】
次に、ヒンジ構造２７について説明する。なお、このヒンジ構造２７は、本発明に係る遊技機の開閉扉構造に相当する。図６は、パチンコ遊技機１０の上側にて配設される上側ヒンジ構造２８を示す分解斜視図である。図７は、パチンコ遊技機１０の下側にて配設される下側ヒンジ構造２９を示す分解斜視図である。すなわち、ヒンジ構造２７は、図６に示す上側ヒンジ構造２８と、図７に示す下側ヒンジ構造２９との、上下で対をなした構造にて構成されている。
図６に示すように、上側ヒンジ構造２８は、外枠１５、前枠本体２３、ガラス枠２５のそれぞれの左上側に対して配設された各ヒンジ構造が組み合わせられることにより構成されている。これに対して、図７に示すように、下側ヒンジ構造２９は、外枠１５、前枠本体２３、ガラス枠２５のそれぞれの左下側に対して配設された各ヒンジ構造が組み合わせられることにより構成されている。
すなわち、図６に示すように、外枠１５の左上側には外枠ヒンジ３０が取り付けられており、前枠本体２３の左上側には前枠本体ヒンジ６０が取り付けられており、ガラス枠２５の左上側にはガラス枠ヒンジ７０が取り付けられている。これに対して図７に示すように、外枠１５の左下側には外枠下ヒンジ２９１が取り付けられており、前枠本体２３の左下側には前枠下ヒンジ２９５が取り付けられている。これらの外枠下ヒンジ２９１および前枠下ヒンジ２９５には、不図示のガイドピンが挿し込まれる第１ガイド溝２９２および第２ガイド溝２９６が設けられている。なお、これらのガイドピンおよび第１ガイド溝２９２および第２ガイド溝２９６は、上側ヒンジ構造２８の機構動作に対応した形状が選択されて形成されている。
【００１７】
図８は、外枠１５に配設される外枠ヒンジ３０を示す外観斜視図であり、図８（Ａ）は上面斜視図であり、図８（Ｂ）は下面斜視図である。図９は、外枠１５に配設される外枠ヒンジ３０を示す分解斜視図である。外枠ヒンジ３０は、図８および図９に示すように、概略、ヒンジヒメール３１と、ヒンジメール３５と、ヒンジガイド４３とを備える。なお、ヒンジヒメール３１およびヒンジメール３５は、金属板を適宜に折曲および孔開けされて形成されている。これに対して、ヒンジガイド４３は、プラスチック樹脂を適宜に凹凸および孔開けされて形成されている。
ヒンジヒメール３１は、図８および図９に示すように、外枠１５の左上部分に螺子止めされることにより取り付けられる。このため、ヒンジヒメール３１は、外枠１５の左上部分に対応するように折曲された平板状部分３１０と折曲当接部分３１１とを有して形成される。平板状部分３１０は外枠１５の上面に面接触するようになっており、折曲当接部分３１１は、外枠１５の側面に面接触するようになっている。この平板状部分３１０と折曲当接部分３１１とには、螺子止めするための螺子孔３２が複数設けられている。
このヒンジヒメール３１の平板状部分３１０には、第１スライドガイド溝３３と、第１回転ガイド溝３４とが設けられている。
第１スライドガイド溝３３は、上記した平板状部分３１０の前側部分を上下に溝形状にて貫通させた孔として形成される。この第１スライドガイド溝３３の溝形状は、他側となる左側から一側となる右側に向かう方向に沿って延びている。具体的には、この第１スライドガイド溝３３の溝形状は、平板状部分３１０の前側において左右方向に沿って延びている。これに対して第１回転ガイド溝３４は、第１スライドガイド溝３３の前側部分の平板状部分３１０に設けられている。また、第１回転ガイド溝３４の溝形状は、第１スライドガイド溝３３の延在方向に対して直交交差する方向に沿って延びている。具体的には、第１スライドガイド溝３３の溝形状が左右方向に沿って延びているのに対して、第１回転ガイド溝３４の溝形状は前後方向に沿った直交方向に延びている。この第１回転ガイド溝３４も、上下に溝形状にて貫通させた孔として形成される。また、この第１回転ガイド溝３４の溝形状を背面側に延ばしていくと、第１スライドガイド溝３３の中間部分と直交交差する。なお、これら第１スライドガイド溝３３と第１回転ガイド溝３４とは繋がっておらず、これらの第１スライドガイド溝３３および第１回転ガイド溝３４同士は、平板状部分３１０にて分離された構造となっている。
【００１８】
ヒンジメール３５は、図８および図９に示すように、上記した第１スライドガイド溝３３および第１回転ガイド溝３４に挿し込まれるスライドガイド軸３６および回転ガイド軸３７が設けられている。このヒンジメール３５は、上記した第１スライドガイド溝３３および第１回転ガイド溝３４の配設部位に対向する位置に設けられる。このヒンジメール３５は、上記したヒンジヒメール３１の平板状部分３１０と対面するように平板状部分３５０が設けられている。このヒンジメール３５は、この平板状部分３５０から上側に突出するようにスライドガイド軸３６と回転ガイド軸３７が設けられている。スライドガイド軸３６は、図示するように軸形状を有して形成される。この軸形状のスライドガイド軸３６は、上記したヒンジヒメール３１の第１スライドガイド溝３３に挿し込まれる。挿し込まれたスライドガイド軸３６は、第１スライドガイド溝３３から抜け出さないように上端が図８（Ａ）に示すフランジ状に潰されている。スライドガイド軸３６は、第１スライドガイド溝３３内で回転可能であり、第１スライドガイド溝３３内でスライド可能であるように、第１スライドガイド溝３３内に挿し込まれることとなる。また、回転ガイド軸３７も、図示するように軸形状を有して形成される。この軸形状の回転ガイド軸３７も、上記したヒンジヒメール３１の第１回転ガイド溝３４に挿し込まれる。挿し込まれた回転ガイド軸３７は、第１回転ガイド溝３４から抜け出さないように上端が図８（Ａ）に示すフランジ状に潰されている。回転ガイド軸３７は、第１回転ガイド溝３４内で回転可能であり、第１回転ガイド溝３４内でスライド可能であるように、第１回転ガイド溝３４内に挿し込まれることとなる。
また、ヒンジメール３５には、次に説明するヒンジガイド４３の支持軸４４が挿し込まれる軸受け孔３８が設けられている。また、ヒンジメール３５には、ヒンジガイド４３のバネ部５２が当接するバネ当接壁３９が設けられている。さらに、ヒンジメール３５には、後に説明する前枠本体ヒンジ６０の嵌り込み軸６３，６４が嵌り込められる軸受け部４１，４２が設けられている。この軸受け部４１，４２は、ヒンジメール３５の平板状部分３１０の周縁から刳り貫かれたような形状を有して形成されている。
【００１９】
ヒンジガイド４３は、図８および図９に示すように、上記したヒンジヒメール３１とヒンジメール３５との間に介装されるプラスチック樹脂の成形品である。このヒンジガイド４３には、ヒンジヒメール３１とヒンジメール３５との間に介装するための形状、スライドガイド軸３６および回転ガイド軸３７を挿し込むための形状、前枠本体ヒンジ６０の嵌り込み軸６３，６４の嵌り込めるための形状、ヒンジガイド４３の取外し操作に関するための形状が、設けられている。具体的には、このヒンジガイド４３の下面側には支持軸４４が突出して設けられており、ヒンジメール３５の軸受け孔３８に挿し込まれる。また、ヒンジガイド４３の上面側には、ヒンジヒメール３１に対する隙間を保持するための間隔調整用ボス４５が設けられている。また、ヒンジガイド４３には、ヒンジメール３５のスライドガイド軸３６および回転ガイド軸３７が挿し込まれて、これらスライドガイド軸３６および回転ガイド軸３７をガイドするガイド孔４６，４７が設けられている。これらガイド孔４６，４７は、スライドガイド軸３６および回転ガイド軸３７をガイドするために、適宜の遊び空間が設けられた長孔形状を有して形成されている。また、このヒンジガイド４３には、前枠本体ヒンジ６０の嵌り込み軸６３，６４が嵌り込められる軸受け凹部４８，４９が設けられている。この軸受け凹部４８，４９は、ヒンジガイド４３の回転位置に応じて、上記したヒンジメール３５の軸受け部４１，４２とともに閉塞した孔形状としたり、上記したヒンジメール３５の軸受け部４１，４２とともに開口した孔形状としたりするように形成されている。また、軸受け凹部４８，４９の近接位置には、上記した嵌り込み軸６３，６４を嵌り込めるためにガイド機能を発揮する軸受けガイド部５０，５１が設けられている。この軸受けガイド部５０，５１は、前枠本体ヒンジ６０の嵌り込み軸６３，６４を、軸受け凹部４８，４９に嵌り込める際に、嵌り込み軸６３，６４をガイドする機能を有する。
【００２０】
また、このヒンジガイド４３には、ヒンジガイド４３を取外し操作に関する形状として、バネ部５２と操作レバー部５３とが設けられている。バネ部５２は、適宜の屈曲形状にて形成される。このバネ部５２は、ヒンジメール３５のバネ当接壁３９に当接して軸受け部４１，４２の開口方向に沿ってヒンジガイド４３自身を付勢するように機能する。このため、バネ部５２は、軸受け部４１，４２の開口方向とは反対側でヒンジメール３５のバネ当接壁３９に当接する。これに対して操作レバー部５３は、このバネ部５２の付勢に抗するようにバネ部５２を圧縮するように操作するためのものとなっている。この操作レバー部５３は、バネ部５２の付勢方向と直交交差する方向に延びる形状にて形成されている。この操作レバー部５３をバネ部５２の付勢に抗する方向で引き上げることにより、ヒンジメール３５の軸受け部４１，４２と、ヒンジガイド４３の軸受け凹部４８，４９との間に隙間を開かせることができるようになっている。このように軸受け部４１，４２と軸受け凹部４８，４９との間に隙間が開くと、前枠本体ヒンジ６０の嵌り込み軸６３，６４を外すように動かすことができる。
【００２１】
図１０（Ａ）は、前枠本体２３に配設される前枠本体ヒンジ６０を示す上面斜視図である。図１０（Ｂ）は、図１０（Ａ）のＢ−Ｂ断面矢視を示す断面図である。図１０（Ｃ）は、前枠本体２３に配設される前枠本体ヒンジ６０を示す下面斜視図である。
前枠本体ヒンジ６０は、図１０（Ａ）〜（Ｃ）に示すように、前枠本体２３の左上部分に螺子止めされることにより取り付けられる。このため、前枠本体ヒンジ６０は、前枠本体２３の左上部分に対応するように折曲された平板状部分６００と折曲当接部分６０１とを有して形成される。平板状部分６００は前枠本体２３の上面に面接触するようになっており、折曲当接部分６０１は、前枠本体２３の側面に面接触するようになっている。この前枠本体ヒンジ６０の折曲当接部分６０１には、螺子止めするための螺子孔６２が複数設けられている。また、前枠本体ヒンジ６０は、この平板状部分６００から上側に突出するように嵌り込み軸６３，６４が設けられている。この嵌り込み軸６３，６４は、図示するように軸形状を有して形成される。この嵌り込み軸６３，６４は、上記したようにるヒンジメール３５の軸受け部４１，４２、およびヒンジガイド４３の軸受け凹部４８，４９に嵌り込められる。また、この前枠本体ヒンジ６０の平板状部分６００には、第２スライドガイド溝６５と、第２回転ガイド溝６６とが設けられている。
【００２２】
この第２スライドガイド溝６５および第２回転ガイド溝６６は、図１０（Ａ）および図１０（Ｃ）に示すように、上記したヒンジヒメール３１に設けられる第１スライドガイド溝３３および第１回転ガイド溝３４と同様の機能を有するように形成される。つまり、前枠本体ヒンジ６０に設けられる第２スライドガイド溝６５および第２回転ガイド溝６６は、上記したヒンジメール３５に設けられるスライドガイド軸３６および回転ガイド軸３７と同様の機能を有するガラス枠ヒンジ７０のピン部材７７を挿し込むことができるように形成される。つまり、この前枠本体ヒンジ６０に設けられる第２スライドガイド溝６５および第２回転ガイド溝６６は、上記した第１スライドガイド溝３３および第１回転ガイド溝３４と、配置形状において略同一の構成を有して形成されている。具体的には、第２スライドガイド溝６５および第２回転ガイド溝６６には、上記した平板状部分６００を上下に溝形状にて貫通させた孔として形成される。また、第２スライドガイド溝６５の溝形状は、前枠本体２３が閉じた状態では、平板状部分６００において左右方向に沿って延びている。これに対して第２回転ガイド溝６６の溝形状は、第２スライドガイド溝６５の延在方向に対して直交する方向に沿って延びている。なお、この前枠本体ヒンジ６０に配設される第２スライドガイド溝６５および第２回転ガイド溝６６の配置位置としては、上記したヒンジヒメール３１に配設される第１スライドガイド溝３３および第１回転ガイド溝３４と同様に直交交差する配置位置にて形成されている。
また、この第２スライドガイド溝６５および第２回転ガイド溝６６の下面側には、図１０（Ｂ）および図１０（Ｃ）に示すように、この第２スライドガイド溝６５および第２回転ガイド溝６６に対してのガラス枠ヒンジ７０のピン部材７７の挿し込みをガイドするための凹み形状部６７，６８が設けられている。この凹み形状部６７，６８は、ピン部材７７の挿し込み側となる下面側において、第２スライドガイド溝６５の溝孔周辺および第２回転ガイド溝６６の溝孔周辺のそれぞれに設けられている。この凹み形状部６７，６８は、平板状部分６００を上側に向けて凹ませることにより形成されている。
【００２３】
図１１は、ガラス枠２５に配設されるガラス枠ヒンジ７０を示す外観斜視図であり、図１１（Ａ）は上面斜視図であり、図１１（Ｂ）は外側下面斜視図であり、図１１（Ｃ）は内側下面斜視図である。図１２は、ガラス枠２５に配設されるガラス枠ヒンジ７０を示す分解斜視図である。
ガラス枠ヒンジ７０は、図１１および図１２に示すように、概略、支持ブラケット７１と、ピン部材７７と、操作レバー部材８１とを備える。
このガラス枠ヒンジ７０は、本発明に係る操作機構に相当するものであり、前枠本体６０の第２スライドガイド溝６５および第２回転ガイド溝６６に対してスライドガイド軸部７８および回転ガイド軸部７９の挿し抜きに関しての操作を行うものである。なお、このスライドガイド軸部７８は、ガラス枠ヒンジ７０において本発明に係るスライドガイド軸に相当する部位である。また、この回転ガイド軸部７９は、ガラス枠ヒンジ７０において本発明に係る回転ガイド軸に相当する部位である。
支持ブラケット７１は、ガラス枠２５の左上部分に螺子止めされることにより取り付けられる。このため、支持ブラケット７１は、ガラス枠２５の左上部分に対応するように折曲された平板状部分７００と折曲当接部分７０１とを有して形成される。平板状部分７００は外枠１５の上面に面接触するようになっており、次に説明するピンガイド孔７３，７４が設けられている。また、折曲当接部分７０１は、ガラス枠２５の側面に面接触するようになっており、螺子止めするための螺子孔７２が複数設けられている。ピンガイド孔７３，７４は、次に説明するピン部材７７が挿し込まれる孔である。このピンガイド孔７３，７４は、ピン部材７７のスライドガイド軸部７８および回転ガイド軸部７９の軸方向に沿って上下２段となるように構成されている。具体的には、ピンガイド孔７３，７４は、軸方向に沿って上下２段で配設されるようにコ字形の連接形状に対して設けられている。このため、この上下２段で配設されるピンガイド孔７３，７４に、ピン部材７７のスライドガイド軸部７８および回転ガイド軸部７９を挿し込んだ場合には、このスライドガイド軸部７８および回転ガイド軸部７９の軸方向における上下動のガイドする機能を高めることができる。なお、支持ブラケット７１には、後にも説明する軸支部材８５を挿し込む挿し込み孔７５が設けられているとともに、バネ部材８６を係止するための係止部７６も設けられている。
ピン部材７７は、円柱部材をコ字形に折曲することにより形成されている。すなわち、ピン部材７７は、連接部８０を介してスライドガイド軸部７８と回転ガイド軸部７９とをなすようにコ字形をなしている。なお、図示するように、スライドガイド軸部７８と回転ガイド軸部７９とは、対称構造をなすような長さ設定されている。また、これらスライドガイド軸部７８および回転ガイド軸部７９の先端部分は、上記したピンガイド孔７３，７４に挿し込まれ易いものとなるようにテーパ形状が設けられている。
【００２４】
操作レバー部材８１（操作レバー）は、上記したピン部材７７を操作するレバーとして機能する部材である。この操作レバー部材８１は、中間部分に軸支孔８２が設けられている。この軸支孔８２には、軸支部材８５が挿し込まれるようになっている。ここで操作レバー部材８１の軸支孔８２に挿し込まれた軸支部材８５は、支持ブラケット７１の挿し込み孔７５に挿し込まれた状態でカシメられる。これにより軸支部材８５は、この軸支部材８５を回動支点として操作レバー部材８１を揺動可能に支持する。この操作レバー部材８１は、基端部が操作部８３として形成されており、先端部がピン部材把持部８４として形成されている。操作部８３は、手で引き上げることができるように引上げ方向に交差する面形状が形成されている。ピン部材把持部８４は、上記したピン部材７７の連接部８０を銜え込む形状を有して形成されている。このため、ピン部材把持部８４は、ピン部材７７を挟持することができる凹形状を有して形成されている。このピン部材把持部８４の凹形状の上側部分は、連接部８０に対して面当接で支持する形状で形成されている。これに対し、このピン部材把持部８４の凹形状の下側部分は、連接部８０に対して適宜間隔で２点で支持する形状で形成されている。これにより、凹形状をなすピン部材把持部８４は、ピン部材７７の連接部８０をガタつかせることなく挟持する（銜え込む）ことができるようになっている。
【００２５】
本発明に係る圧縮ばねに相当するバネ部材８６は、操作レバー部材８１の回動支点部分に配設されている。すなわち操作レバー部材８１には、軸支部材８５との間にバネ部材８６が介装されている。このバネ部材８６は、操作レバー部材８１の先端側のピン部材把持部８４が上側に向かって移動するように付勢する。具体的には、バネ部材８６は、図示するようにコイルスプリングであり、圧縮された状態で一端側が操作レバー部材８１の下部に当接するようになっており、他端側が支持ブラケット７１の係止部７６に係止するようになっている。ここで、バネ部材８６の一端が当接する操作レバー部材８１の下部は、回動支点となる軸支部材８５の前側に設定されており、バネ部材８６の他端が係止する支持ブラケット７１の係止部７６は、回動支点となる軸支部材８５の後側に設定されている。これにより、この圧縮されたバネ部材８６の弾性復元力により、操作レバー部材８１のピン部材把持部８４が上側に向かって移動するように付勢することができるものとなっている。他方、このバネ部材８６の付勢力に抗して操作レバー部材８１の操作部８３を引き上げると、操作レバー部材８１のピン部材把持部８４は下側に向かって移動するものとなる。なお、図１１（Ｃ）に示すように、操作レバー部材８１には、適宜回動範囲で支持ブラケット７１側に当接させて操作レバー部材８１の回動規制をする第１ストッパ部８７および第２ストッパ部８８が設けられている。この第１ストッパ部８７および第２ストッパ部８８が支持ブラケット７１側に当たることにより、操作レバー部材８１の回動を十分な回動に抑えることができる。
【００２６】
以上のように構成されたヒンジ構造２７にあっては、外枠１５に対して前枠２０を開閉する際には次のように作動する。なお、図１３（Ａ）〜（Ｃ）は、外枠ヒンジ３０に関して示す斜視図であり、図１３（Ａ）は前枠全閉状態、図１３（Ｂ）は前枠開途中状態、図１３（Ｃ）は前枠全開状態を示す図である。また、図１４は、全閉状態の外枠ヒンジ３０を示す（Ａ）上面図および（Ｂ）下面図である。図１５は、開途中状態の外枠ヒンジ３０を示す（Ａ）上面図および（Ｂ）下面図である。図１６は、全開状態の外枠ヒンジ３０を示す（Ａ）上面図および（Ｂ）下面図である。
外枠１５に対して前枠２０が全閉状態となっている場合の外枠ヒンジ３０は図１３（Ａ）および図１４に示すとおりとなる。スライドガイド軸３６は第１スライドガイド溝３３内の左端位置に位置する。この際、回転ガイド軸３７は第１回転ガイド溝３４内の中間位置に位置する。ヒンジヒメール３１に対してヒンジメール３５は閉じ位置に位置している。なお、ヒンジガイド４３の操作レバー部５３は後側の隠れた位置に位置している。次いで、外枠１５に対して前枠２０が開途中状態となっている場合の外枠ヒンジ３０は図１３（Ｂ）および図１５に示すとおりとなる。スライドガイド軸３６は第１スライドガイド溝３３内の中間位置に位置する。この際、回転ガイド軸３７は第１回転ガイド溝３４内の中間位置から前側にずれて位置する。ヒンジヒメール３１に対してヒンジメール３５は相対的に傾いた開途中位置に位置している。次いで、外枠１５に対して前枠２０が全開状態となっている場合の外枠ヒンジ３０は図１３（Ｃ）および図１６に示すとおりとなる。スライドガイド軸３６は第１スライドガイド溝３３内の右端位置に位置する。この際、回転ガイド軸３７は第１回転ガイド溝３４内の中間位置から後側にずれて位置する。ヒンジヒメール３１に対してヒンジメール３５は全開位置に位置している。なお、ヒンジガイド４３の操作レバー部５３は外部に露出する位置に位置している。
【００２７】
すなわち、外枠１５に対して前枠２０が全閉状態、開途中状態、全開状態と順次移行する前枠２０の開け閉めは、第１スライドガイド溝３３内に挿し込まれるスライドガイド軸３６の第１スライドガイド溝３３内における回転およびスライドにより行われる。この際、第１スライドガイド溝３３内のスライドガイド軸３６の回転およびスライドは、第１回転ガイド溝３４内に挿し込まれる回転ガイド軸３７の第１回転ガイド溝３４内における回転およびスライドによりガイドされるようになっている。つまり、図９に示すように、第１スライドガイド溝３３内に挿し込まれるスライドガイド軸３６は、その回転およびスライドが、第１スライドガイド溝３３内の内側壁面３３１，３３２に当てられることによりガイドされている。また、第１回転ガイド溝３４内に挿し込まれる回転ガイド軸３７は、その回転およびスライドが、第１回転ガイド溝３４内の内側壁面３４１，３４２に当てられることによりガイドされている。なお、第１スライドガイド溝３３内の内側壁面３３１，３３２は、第１スライドガイド溝３３の延在方向に対して交差して面しており、第１回転ガイド溝３４内の内側壁面３４１，３４２は、第１回転ガイド溝３４の延在方向に対して交差して面している。
なお、前枠本体２３に対してガラス枠２５が全閉状態、開途中状態、全開状態と順次移行するガラス枠２５の開け閉めも同様である。つまり、ガラス枠２５の開け閉めは、第２スライドガイド溝６５内に挿し込まれるスライドガイド軸部７８の第２スライドガイド溝６５内における回転およびスライドにより行われる。この際、第２スライドガイド溝６５内のスライドガイド軸部７８の回転およびスライドは、第２回転ガイド溝６６内に挿し込まれる回転ガイド軸７９の第２回転ガイド溝６６内における回転およびスライドによりガイドされるようになっている。
【００２８】
ここで図１４〜図１６では特に図示していないが、軸受け部４１と軸受け凹部４８とにより形成される孔形状には、前枠本体ヒンジ６０の嵌り込み軸６３が嵌り込められる。また、軸受け部４２と軸受け凹部４９とにより形成される孔形状には、前枠本体ヒンジ６０の嵌り込み軸６４が嵌り込められる。また、図１６（Ｂ）に示すヒンジガイド４３の操作レバー部５３を後側に押した場合には、上記したヒンジガイド４３のバネ部５２を弾性変形させ、軸受け部４１，４２と軸受け凹部４８，４９との間に隙間が開けさせ、前枠本体ヒンジ６０の嵌り込み軸６３，６４を外すように動かすことができるようになっている。
これに対して、軸受け部４１と軸受け凹部４８とによる孔形状に嵌り込み軸６３を嵌めたり、軸受け部４２と軸受け凹部４９とによる孔形状に嵌り込み軸６４を嵌めたりするに際しては、軸受けガイド部５０，５１に嵌り込み軸６３，６４を当てて、上記したヒンジガイド４３のバネ部５２を弾性変形させる。そうすると、軸受け部４１，４２と軸受け凹部４８，４９との間に隙間が開き、上記した孔形状に嵌り込み軸６３，６４を嵌めることができる。なお、前枠本体ヒンジ６０の嵌り込み軸６３，６４は、スライドガイド軸３６および回転ガイド軸３７に対してズレる位置に配置されている。
【００２９】
また上記のように構成されたヒンジ構造２７にあっては、ガラス枠ヒンジ７０は次のように作動する。なお、図１７は前枠本体ヒンジ６０に対して係止状態のガラス枠ヒンジ７０を示す（Ａ）斜視図および（Ｂ）側面図である。図１８は前枠本体ヒンジ６０に対して係止解除状態のガラス枠ヒンジ７０を示す（Ａ）斜視図および（Ｂ）側面図である。
すなわち図１７で示すように、常態時のガラス枠ヒンジ７０は、バネ部材８６の付勢力によりストッパ部８８が当たるまで操作レバー部材８１の先端側を初期位置となる上側に上げている。これにより、ピン部材把持部８４により銜えられるピン部材７７は上側に上げられることとなる。つまり、スライドガイド軸部７８および回転ガイド軸部７９は、ピンガイド孔７３，７４から上側に突き出された状態に位置することとなる。このように突き出したスライドガイド軸部７８および回転ガイド軸部７９は、前枠本体ヒンジ６０の第２スライドガイド溝６５および第２回転ガイド溝６６に挿し込まれた状態となる。
これに対して図１８で示すように、取外し時のガラス枠ヒンジ７０は、バネ部材８６の付勢力に抗して操作レバー部材８１の操作部８３を引き上げる。そうすると、ストッパ部８７が当たるまで操作レバー部材８１の基端側を上側に上げる。これにより、ピン部材把持部８４により銜えられるピン部材７７は下側に下げられることとなる。つまり、スライドガイド軸部７８および回転ガイド軸部７９は、ピンガイド孔７３，７４から下側に下げられた状態に位置することとなる。これにより、前枠本体ヒンジ６０の第２スライドガイド溝６５および第２回転ガイド溝６６に挿し込まれていたスライドガイド軸部７８および回転ガイド軸部７９は、これら第２スライドガイド溝６５および第２回転ガイド溝６６から抜き出すこととなる。つまり、前枠本体ヒンジ６０に対するガラス枠ヒンジ７０の係合状態は解除されて、前枠本体２３に対してガラス枠２５を取り外すことができる。
【００３０】
上記した遊技機のヒンジ構造２７によれば、次の作用効果を奏することができる。
すなわち、上記したパチンコ遊技機１０のヒンジ構造２７によれば、図１３〜図１６に示すように、外枠１５（基枠体）に対する前枠２０（開閉扉体）の開け閉めは、スライドガイド軸３６の第１スライドガイド溝３３内における回転およびスライドにより行われるようになっている。これによって、外枠１５に対して前枠２０を、前枠２０の回転軸を外枠１５に対してスライドさせながら開けることができる。ここで、第１スライドガイド溝３３内のスライドガイド軸３６の回転およびスライドは、回転ガイド軸３７の第１回転ガイド溝３４内における回転およびスライドによりガイドされる。これによって、前枠２０を開けたり閉めたりするにあたっての前枠２０の回転およびスライドを安定した回転およびスライドとすることができる。したがって、図１および図２に示すように、前枠２０の前面側に張り出した形状を形成した場合であっても、パチンコ遊技機１０に隣接して設置されるサンド９０から前枠２０を逃げるようにスライドさせながら回転させて開けることができ、サンド９０に前枠２０の前面側を当ててしまうことなく該前枠２０を全開で開けることができる。もって、外観意匠としての興趣を向上させるように前枠２０の前面側の張出し形状を形成することができるようにしつつ、パチンコ遊技機１０に隣接して設置されるサンド９０に前枠２０の前面側を当ててしまうことなく該前枠２０を全開で開けることができるようになる。なお、上記したパチンコ遊技機１０のヒンジ構造２７によれば、前枠２０をガイドする開閉ガイドリンクについては不要となるので、全体としての部材点数の削減も図れることができる。
また、上記したパチンコ遊技機１０のヒンジ構造２７によれば、図９に示すように、第１回転ガイド溝３４は、第１スライドガイド溝３３の延在方向に対して直交する方向に沿って延びる溝形状を有して形成されているので、この第１回転ガイド溝３４内の内側壁面３４１，３４２は、第１スライドガイド溝３３の延在方向に対して直交する方向に沿って延びるように形成される。つまり、第１回転ガイド溝３４内の内側壁面３４１，３４２は、スライドガイド軸３６のスライド方向に対して直交する方向に延在する。これによって、スライドガイド軸３６のスライドに追従してスライドしようとする該スライド方向の回転ガイド軸３７のスライドを、第１回転ガイド溝３４内の内側壁面３４１，３４２に回転ガイド軸３７を当てることにより確実に規制することができる。したがって、回転ガイド軸３７を支点にした回転方向にてスライドガイド軸３６を回転作用させることができて、該スライドガイド軸３６の回転をスムーズにガイドすることができる。もって、前枠２０を開けたり閉めたりするにあたっての前枠２０の回転およびスライドを、より安定した回転およびスライドとすることができる。
なお、上記においては、基枠体として外枠１５に対する開閉扉体としての前枠２０の相対的な開け閉めについて説明するものであるが、基枠体として前枠本体２３に対する開閉扉体としてのガラス枠２５の相対的な開け閉めについても同様にいえる。
【００３１】
また、上記したパチンコ遊技機１０のヒンジ構造２７によれば、図１７および図１８に示すように、スライドガイド軸部７８および回転ガイド軸部７９は、対応関係にある第２スライドガイド溝６５および第２回転ガイド溝６６に対して挿し抜き可能に構成されている。ここで、スライドガイド軸部７８および回転ガイド軸部７９を第２スライドガイド溝６５および第２回転ガイド溝６６に挿し込んだ状態では、ガラス枠２５を前枠本体２３に取り付けた状態とすることができる。これに対し、スライドガイド軸部７８および回転ガイド軸部７９を第２スライドガイド溝６５および第２回転ガイド溝６６から抜き出した状態では、ガラス枠２５を前枠本体２３から取り外した状態とすることができる。これによってガラス枠２５を前枠本体２３に対する取付け及び取外しを簡単に行うことができる。
また、上記したパチンコ遊技機１０のヒンジ構造２７によれば、操作レバー部材８１を回動させることにより、第２スライドガイド溝６５および第２回転ガイド溝６６からスライドガイド軸部７８および回転ガイド軸部７９を抜き出すことができる。これによって、上記したガラス枠２５を前枠本体２３に対する取外しを簡単に行うことができる。これに対して圧縮ばねは、自身の弾性復元力により操作レバーを初期位置に戻すように付勢する。つまり、圧縮ばねは、スライドガイド軸部７８および回転ガイド軸部７９を第２スライドガイド溝６５および第２回転ガイド溝６６に自動的に挿し込むように作用する。これによって、上記したガラス枠２５を前枠本体２３に対する取付けを簡単に行うことができる。ここでバネ部材８６は、操作レバー部材８１の回動支点部分に配設されているので、付勢するための部材配設範囲の嵩張りを削減することができ、部材構成の小型化を図ることができる。
【００３２】
なお、本発明に係る遊技機の開閉扉構造にあっては、上記した実施の形態に限定されるものではなく、次のように適宜個所を変更して構成するようにしてもよい。
例えば、上記した実施の形態におけるパチンコ遊技機１０のヒンジ構造２７にあっては、外枠１５との前枠本体２３との相対関係における外枠ヒンジ３０および前枠本体ヒンジ６０の構造と、前枠本体２３とガラス枠２５との相対関係における前枠本体ヒンジ６０およびガラス枠ヒンジ７０の構造とを、複合させて成立させるものであった。しかしながら、本発明に係る遊技機の開閉扉構造にあっては、上記した実施の形態に限定されるものではなく、これらを単体で分離して構成されるものであってもよい。つまり、本発明に係る基枠体と開閉扉体との相対関係は、適宜の構成に応用することが可能である。つまり、上記の実施の形態では、本発明に係る遊技機としてパチンコ遊技機１０を例示するものであったが、本発明に係る遊技機としては、これに限定されることなく、パチスロ遊技機で構成されるものであってもよい。
また、上記した実施の形態では、本発明に係るスライドガイド溝としての第１スライドガイド溝３３と、本発明に係る回転ガイド溝としての第１回転ガイド溝３４とは、直交交差するように配置されるものであった。また、第１回転ガイド溝３４の溝形状は、背面側に延ばしていくと第１スライドガイド溝３３の中間部分と直交交差するようになっていた。しかしながら、本発明に係る回転ガイド溝は、上記した実施の形態に限定されることなく、少なくとも溝形状がスライドガイド溝の延在方向と交差する方向に沿って延びていればよいものである。すなわち、本発明に係る回転ガイド溝としての図９に示す第１回転ガイド溝３４の溝形状の位置は、前枠２０の前面側の張出し量に応じて左右いずれかの方向にずらされて設計されるものであってもよい。また、図９に示す第１回転ガイド溝３４の溝形状の延在範囲は、前枠２０の前面側の張出し量に応じて適宜の長さに設計されるものであってもよい。また、図９に示す第１回転ガイド溝３４の溝形状の第１スライドガイド溝３３に対する交差角度は、上記した実施の形態のようにスライドガイド溝３３の延在方向に対して直交する方向に限定されることなく、鋭角あるいは鈍角の傾斜した方向に設計されるものであってもよい。また、図９に示す第１回転ガイド溝３４の溝形状は、上記した実施の形態のように直線方向に沿って延びる形状に限定されることなく、曲線方向に沿って延びる形状で設計されるものであってもよい。
また、この前枠本体ヒンジ６０の嵌り込み軸６３，６４は、図示する２本の構成とすることに限定されることなく、これら嵌り込み軸６３，６４の何れか１本のみで構成されるものであってもよい。なお、２本の嵌り込み軸６３，６４を１本の嵌り込み軸にて形成した場合には、上面視となる挿し込み方向から視て、上面視四角形としたり上面視Ｄ字形としたりする方が、嵌り込んだ軸自身にガイド機能が付帯されて有利となる。
また、上記した実施の形態における、スライドガイド軸３６、回転ガイド軸３７、スライドガイド軸部７８、回転ガイド軸部７９、の軸形状は、上面視円形となる円柱形状に形成されるもであった。しかしながら、本発明に係るスライドガイド軸および回転ガイド軸の軸形状としては、これに限定されることなく、例えば上面視楕円形となる円柱形状等、適宜の形状が選択されて形成されるものであってもよい。
【符号の説明】
【００３３】
１０  パチンコ遊技機（遊技機）
１１  枠体
１２  遊技機本体
１２１  遊技盤
１２２  各種の装置品
１５  外枠
２０  前枠
２３  前枠本体
２５  ガラス枠
２７  ヒンジ構造（遊技機の開閉扉構造）
２８  上側ヒンジ構造
２９  下側ヒンジ構造
２９１  外枠下ヒンジ
２９２  第１ガイド溝
２９５  前枠下ヒンジ
２９６  第２ガイド溝
３０  外枠ヒンジ
３１  ヒンジヒメール
３１０  平板状部分
３１１  折曲当接部分
３２  螺子孔
３３  第１スライドガイド溝（スライドガイド溝）
３３１，３３２  内側壁面
３４  第１回転ガイド溝（回転ガイド溝）
３４１，３４２  内側壁面
３５  ヒンジメール
３５０  平板状部分
３６  スライドガイド軸（スライドガイド軸）
３７  回転ガイド軸（回転ガイド軸）
３８  軸受け孔
３９  バネ当接壁
４１，４２  軸受け部
４３  ヒンジガイド
４４  支持軸
４５  間隔調整用ボス
４６，４７  ガイド孔
４８，４９  軸受け凹部
５０，５１  軸受けガイド部
５２  バネ部
５３  操作レバー部
６０  前枠本体ヒンジ
６００  平板状部分
６０１  折曲当接部分
６２  螺子孔
６３，６４  嵌り込み軸
６５  第２スライドガイド溝（スライドガイド溝）
６６  第２回転ガイド溝（回転ガイド溝）
６７，６８  凹み形状部
７０  ガラス枠ヒンジ（操作機構）
７００  平板状部分
７０１  折曲当接部分
７１  支持ブラケット
７２  螺子孔
７３，７４  ピンガイド孔
７５  挿し込み孔
７６  係止部
７７  ピン部材
７８  スライドガイド軸部（スライドガイド軸）
７９  回転ガイド軸部（回転ガイド軸）
８０  連接部
８１  操作レバー部材
８２  軸支孔
８３  操作部
８４  ピン部材把持部
８５  軸支部材
８６  バネ部材
８７  第１ストッパ部
８８  第２ストッパ部
９０  サンド
【図１】
0005864893.tif 000002
【図２】
0005864893.tif 000003
【図３】
0005864893.tif 000004
【図４】
0005864893.tif 000005
【図５】
0005864893.tif 000006
【図６】
0005864893.tif 000007
【図７】
0005864893.tif 000008
【図８】
0005864893.tif 000009
【図９】
0005864893.tif 000010
【図１０】
0005864893.tif 000011
【図１１】
0005864893.tif 000012
【図１２】
0005864893.tif 000013
【図１３】
0005864893.tif 000014
【図１４】
0005864893.tif 000015
【図１５】
0005864893.tif 000016
【図１６】
0005864893.tif 000017
【図１７】
0005864893.tif 000018
【図１８】
0005864893.tif 000019